(57)【要約】【課題】複数の外壁部材を積み重ねることで外壁を構築してその外壁の外側に線材を設置する場合において、その外壁の外側に足場を築く必要性を低下させる。【解決手段】ブラケット２０は、線材拘束部３０と、固定部３２とを備える。線材拘束部３０は、建築構造物の外壁から張出すように配置される。固定部３２は、建築構造物の外壁に線材拘束部３０を固定する。線材拘束部３０が、貫通孔４０と、進入路４２と、張出板部４４とを有している。貫通孔４０は、線材を収容する。進入路４２は、線材拘束部３０の側面５２から貫通孔４０の内周面４０２まで設けられる。進入路４２は、線材が貫通孔４０へ進入するためのものである。張出板部４４は、進入路４２のうち貫通孔４０よりも線材拘束部３０の先端側にある部分を遮る。進入路４２の幅は、張出板部４４を線材に平行としたとき、線材が通過可能な幅である。【選択図】図１
2011163077.tif 000002
【特許請求の範囲】
【請求項１】
線材を拘束する線材拘束部と、
積み重ねられる複数の外壁部材を有する外壁に前記線材拘束部を前記外壁から張出すよう固定する固定部とを備えるブラケットであって、
前記固定部が、前記外壁部材の間に挟まれる介在部を有しており、
前記線材拘束部が、
前記線材拘束部の正面から背面までを貫通し、前記線材を収容する貫通孔と、
前記線材拘束部の側面から前記貫通孔の内周面まで設けられ、前記線材拘束部のうち前記貫通孔より先端側を経由する、前記線材が前記貫通孔へ進入するための進入路と、
前記線材拘束部のうち前記貫通孔よりも先端側の部分から張出し、前記介在部が前記外壁部材の間に挟まれているとき、前記進入路のうち前記貫通孔よりも前記線材拘束部の先端側にある部分を遮る、張出板部とを有しており、
前記進入路の幅が、前記張出板部を前記線材に平行としたとき、前記線材が通過可能な幅であることを特徴とする、ブラケット。
【請求項２】
線材を立てて配置する配置工程と、
ブラケットに前記線材を拘束させる拘束工程と、
外壁に前記ブラケットを取付けるブラケット取付け工程とを備える、線材の設置方法であって、
前記ブラケットは、
前記線材を拘束する線材拘束部と、
積み重ねられる複数の外壁部材を有する外壁に前記線材拘束部を前記外壁から張出すよう固定する固定部とを備え、
前記固定部が、前記外壁部材の間に挟まれる介在部を有しており、
前記線材拘束部が、
前記線材拘束部の正面から背面までを貫通し、前記線材を収容する貫通孔と、
前記線材拘束部の側面から前記貫通孔の内周面まで設けられ、前記線材拘束部のうち前記貫通孔より先端側を経由する、前記線材が前記貫通孔へ進入するための進入路と、
前記線材拘束部のうち前記貫通孔よりも先端側の部分から張出し、前記介在部が前記外壁部材の間に挟まれているとき、前記進入路のうち前記貫通孔よりも前記線材拘束部の先端側にある部分を遮る、張出板部とを有しており、
前記進入路の幅が、前記張出板部を前記線材に平行としたとき、前記線材が通過可能な幅であり、
前記拘束工程が、前記ブラケットを、前記張出板部が前記線材に平行となる姿勢としつつ、前記配置工程において配置された前記線材を前記進入路へ嵌めることにより、前記進入路を経て前記線材を前記貫通孔に進入させる工程を有し、
前記ブラケット取付け工程が、
前記貫通孔に前記線材が進入した後、前記固定部を前記外壁部材に載せるブラケット積載工程と、
前記外壁部材に前記固定部が載った後、前記固定部が載っている前記外壁部材の上に他の前記外壁部材を積み重ねる積み重ね工程とを有することを特徴とする、線材の設置方法。
【発明の詳細な説明】
【技術分野】
【０００１】
本発明はブラケットおよび線材の設置方法に関し、さらに詳しくは、複数の外壁部材を積み重ねることで外壁を構築してその外壁の外側に線材を設置する場合において、その外壁の外側に足場を築く必要性を低下させる、ブラケットおよび線材の設置方法に関する。
【背景技術】
【０００２】
建築構造物の壁面を緑化するために地面にかずらなどのつる性植物類を植えて外壁を植物で覆う方法が、昔から行われている。この方法には、植物に覆われていない箇所が生じやすいという問題点があった。これは、植物の生長方向が一様でないことに原因がある。そこで、壁面と所定の間隔を開けて線材を取付け、その線材に沿って植物を成長させることで壁面を緑化させるという手法が実用化されている。
【０００３】
特許文献１は壁面と所定の間隔を開けて線材を取付けるための支持具を開示する。この支持具は、壁面から所定の間隔で突出する突出部材と、突出部材の先端に取付けられた押さえ部材とを備える。突出部材と押さえ部材とには、相対向する受け面と押さえ面とがそれぞれ形成される。線材が、受け面の一側端から他側端にわたって当った状態で、この受け面と押さえ面とによって挟持されている。
【０００４】
特許文献１に開示された支持具によると、施工誤差による位置ずれを吸収でき、かつ、取付けられた線材を位置ずれし難くできる。
【先行技術文献】
【特許文献】
【０００５】
【特許文献１】特開２００７−１２０１６１号公報
【発明の概要】
【発明が解決しようとする課題】
【０００６】
しかしながら、特許文献１に開示された支持具では、建築構造物の外壁に足場を構築しなければならないという問題点がある。特許文献１に開示された支持具を取付けるためには、受け面と押さえ面との間に線材を入れた後、取付けボルトをねじ込むことによって受け面と押さえ面とで線材を強く挟まなくてはならない。この取付けボルトをねじ込む作業のために、建築構造物の外壁へ足場を構築する必要がある。
【０００７】
しかも、特許文献１に開示された支持具では、壁面に予めアンカーボルトを突出させておかなくてはならない。壁面にアンカーボルトを予め取付けるためには、外壁の外側に足場を設けることが欠かせない。
【０００８】
本発明は、上述した問題点を解決するためになされたものであって、その目的は、複数の外壁部材を積み重ねることで外壁を構築してその外壁の外側に線材を設置する場合において、その外壁の外側に足場を築く必要性を低下させることにある。
【課題を解決するための手段】
【０００９】
図面を参照して本発明のブラケットおよび線材の設置方法を説明する。なお、この欄で図中の符号を使用したのは、発明の内容の理解を助けるためであって、内容を図示した範囲に限定する意図ではない。
【００１０】
上述した課題を解決するために、本発明のある局面に従うと、ブラケット２０は、線材拘束部３０と、固定部３２とを備える。線材拘束部３０は、線材２５２を拘束する。固定部３２は、積み重ねられる複数の外壁部材２１２を有する外壁２００に線材拘束部３０をその外壁２００から張出すよう固定する。固定部３２が介在部６０を有している。介在部６０は、外壁部材２１２の間に挟まれる。線材拘束部３０が、貫通孔４０と、進入路４２と、張出板部４４とを有している。貫通孔４０は、線材拘束部３０の正面５０から背面５４までを貫通する。貫通孔４０は、線材２５４を収容する。進入路４２は、線材拘束部３０の側面５２から貫通孔４０の内周面４０２まで設けられる。進入路４２は、線材拘束部３０のうち貫通孔４０より先端側を経由する。進入路４２は、線材２５４が貫通孔４０へ進入するためのものである。張出板部４４は、線材拘束部３０のうち貫通孔４０よりも先端側の部分から張出す。張出板部４４は、介在部６０が外壁部材２１２の間に挟まれているとき、進入路４２のうち貫通孔４０よりも線材拘束部３０の先端側にある部分を遮る。進入路４２の幅は、張出板部４４を線材２５４に平行としたとき、線材２５４が通過可能な幅である。
【００１１】
進入路４２の幅は、張出板部４４を線材２５４に平行としたとき、線材２５４が通過可能な幅である。線材２５４が通過可能な幅なので、張出板部４４を線材２５４に平行とすることで、張出板部４４が線材２５４の移動を遮らない状態にしたとき、線材２５４は進入路４２を通過して貫通孔４０へ進入できる。貫通孔４０は、進入路４２を通過して進入してきた線材２５４を収容する。張出板部４４は、介在部６０が外壁部材２１２の間に挟まれているとき、進入路４２のうち貫通孔４０よりも線材拘束部３０の先端側にある部分を遮る。進入路４２のうち貫通孔４０よりも線材拘束部３０の先端側にある部分を張出板部４４が遮るので、貫通孔４０が線材２５４を収容したのち、介在部６０が外壁部材２１２の間に挟まれる状態となったとき、線材２５４は、進入路４２を逆戻りして線材拘束部３０から離脱することができなくなる。しかも、介在部６０が外壁部材２１２の間に挟まれることで線材拘束部３０が建築構造物の外壁２００に固定される。これにより、外壁２００の外側ひいては線材２５４の外側に作業者が位置しなくとも、線材２５４をその外壁２００の外側に設置することができる。
【００１２】
その結果、本発明にかかるブラケット２０は、複数の外壁部材２１２を積み重ねることで外壁２００を構築してその外壁２００の外側に線材２５４を設置する場合において、その外壁２００の外側に足場を築く必要性を低下させることができる。
【００１３】
本発明の他の局面に従うと、線材の設置方法は、配置工程と、拘束工程と、ブラケット取付け工程とを備える。配置工程は、線材２５４を立てて配置する工程である。拘束工程は、ブラケット２０に線材２５４を拘束させる工程である。ブラケット取付け工程は、外壁２００にブラケット２０を取付ける工程である。ブラケット２０は、線材拘束部３０と、固定部３２とを備える。線材拘束部３０は、線材２５２を拘束する。固定部３２は、積み重ねられる複数の外壁部材２１２を有する外壁２００に線材拘束部３０をその外壁２００から張出すよう固定する。固定部３２が介在部６０を有している。介在部６０は、外壁部材２１２の間に挟まれる。線材拘束部３０が、貫通孔４０と、進入路４２と、張出板部４４とを有している。貫通孔４０は、線材拘束部３０の正面５０から背面５４までを貫通する。貫通孔４０は、線材２５４を収容する。進入路４２は、線材拘束部３０の側面５２から貫通孔４０の内周面４０２まで設けられる。進入路４２は、線材拘束部３０のうち貫通孔４０より先端側を経由する。進入路４２は、線材２５４が貫通孔４０へ進入するためのものである。張出板部４４は、線材拘束部３０のうち貫通孔４０よりも先端側の部分から張出す。張出板部４４は、介在部６０が外壁部材２１２の間に挟まれているとき、進入路４２のうち貫通孔４０よりも線材拘束部３０の先端側にある部分を遮る。進入路４２の幅は、張出板部４４を線材２５４に平行としたとき、線材２５４が通過可能な幅である。拘束工程は、ブラケット２０を、張出板部４４が線材２５４に平行となる姿勢としつつ、配置工程において配置された線材２５４を進入路４２へ嵌めることにより、進入路４２を経て線材２５４を貫通孔４０に進入させる工程を有している。ブラケット取付け工程が、ブラケット積載工程と、積み重ね工程とを有している。ブラケット積載工程は、貫通孔４０に線材２５４が進入した後固定部３２を外壁部材２１２に載せる工程である。積み重ね工程は、外壁部材２１２に固定部３２が載った後、固定部３２が載っている外壁部材２１２の上に他の外壁部材２１２を積み重ねる工程である。
【００１４】
進入路４２の幅は、張出板部４４を線材２５４に平行としたとき、線材２５４が通過可能な幅である。線材２５４が通過可能な幅なので、拘束工程において、張出板部４４を線材２５４に平行としつつ、配置工程において配置された線材２５４を進入路４２へ嵌めることにより、進入路４２を経て線材２５４を貫通孔４０に進入させることができる。貫通孔４０は、進入路４２を通過して進入してきた線材２５４を収容する。張出板部４４は、介在部６０が外壁部材２１２の間に挟まれているとき、進入路４２のうち貫通孔４０よりも線材拘束部３０の先端側にある部分を遮る。その部分を張出板部４４が遮るので、ブラケット積載工程において固定部３２を外壁部材２１２に載せることにより、線材２５４は、進入路４２を逆戻りして線材拘束部３０から離脱することができなくなる。しかも、積み重ね工程において介在部６０が外壁部材２１２の間に挟まれることで線材拘束部３０が建築構造物の外壁２００に固定される。これにより、外壁２００の外側ひいては線材２５４の外側に作業者が位置しなくとも、線材２５４をその外壁２００の外側に設置することができる。
【００１５】
その結果、本発明にかかる線材の設置方法によれば、複数の外壁部材２１２を積み重ねることで外壁２００を構築してその外壁２００の外側に線材２５４を設置する場合において、その外壁２００の外側に足場を築く必要性を低下させることができる。
【発明の効果】
【００１６】
本発明にかかるブラケットおよび線材の設置方法によれば、複数の外壁部材を積み重ねることで外壁を構築してその外壁の外側に線材を設置する場合において、その外壁の外側に足場を築く必要性を低下させることができる。
【図面の簡単な説明】
【００１７】
【図１】本発明の実施例にかかるブラケットの斜視図である。
【図２】本発明の実施例にかかるブラケットの背面図である。
【図３】本発明の実施例にかかるブラケットの側面図である。
【図４】本発明の実施例にかかる、支柱にフェンスごと水平線材と垂直線材とを取付け、隣り合う支柱の間に外壁部材を設置しようとする状況を示す図である。
【図５】本発明の実施例にかかる張出板部が垂直線材に平行となる姿勢を示す図である。
【図６】本発明の実施例にかかる張出板部が垂直線材に平行となるときのブラケットを正面側から見た図である。
【図７】本発明の実施例にかかる固定部を外壁部材に被せたときのブラケットの側面図である。
【図８】本発明の実施例にかかるブラケットの固定部を外壁部材に被せたときのブラケットの正面図である。
【図９】本発明の実施例にかかるブラケットの固定部を外壁部材に被せたときの、支柱、外壁部材、フェンス、および、ブラケットを示す図である。
【図１０】本発明の実施例にかかるブラケットの線材拘束部が外壁に固定されたときのブラケットの側面図である。
【図１１】本発明の実施例にかかるブラケットが新たに外壁部材に載せられたときの支柱、外壁部材、フェンス、および、ブラケットを示す図である。
【図１２】本発明の実施例にかかるブラケットが取付けられた外壁の隣に別の外壁が構築された状況を示す図である。
【図１３】本発明の変形例にかかるブラケットの固定部を外壁部材に被せたときの、外壁部材、フェンス、および、ブラケットを示す図である。
【発明を実施するための形態】
【００１８】
図１は、本発明の実施例にかかるブラケット２０の斜視図である。図１を参照しつつ、本実施例にかかるブラケット２０の全体の構造を説明する。
【００１９】
本実施例にかかるブラケット２０は、建築構造物の外壁２００（具体的に述べると、外壁２００を構成する外壁部材２１２）に取付けられるものである。本実施例にかかるブラケット２０は、線材拘束部３０と、固定部３２とを備える。
【００２０】
線材拘束部３０は、垂直線材２５４を拘束する。固定部３２は、線材拘束部３０が建築構造物の外壁２００から張出すよう線材拘束部３０を建築構造物の外壁２００へ固定する。
【００２１】
線材拘束部３０は、固定部３２から張出している。線材拘束部３０は、貫通孔４０と、進入路４２と、張出板部４４とを有している。貫通孔４０は、線材拘束部３０の正面５０から背面５４までを貫通する。貫通孔４０は、垂直線材２５４を収容する孔である。進入路４２には、垂直線材２５４が進入する。張出板部４４は、線材拘束部３０のうち貫通孔４０よりも先端側の部分（本実施例の場合に限って言えば、貫通孔４０および進入路４２よりも先端側の部分）から張出している。
【００２２】
図２は、本実施例にかかるブラケット２０の背面図である。図２を参照しつつ、進入路４２について説明する。進入路４２は、線材拘束部３０の側面５２から貫通孔４０の内周面４０２まで設けられる。進入路４２は、線材拘束部４０のうち貫通孔４０より先端側（張出板部４４が設けられている側）を経由する。
【００２３】
進入路４２は、直交部４１０と、屈曲部４１２とを有する。直交部４１０は、線材拘束部３０の側面５２に直交するする方向を向くまっすぐな部分である。屈曲部４１２は、直交部４１０の先端に設けられる、貫通孔４０の方向へ屈曲している部分である。
【００２４】
図３は本実施例にかかるブラケット２０の側面図である。図３を参照しつつ、固定部３２について説明する。本実施例にかかる固定部３２は、介在部６０と、外側側面部６２と、内側側面部６４とを有する。介在部６０は、積み重ねられる外壁部材２１２の間に挟まれる。介在部６０が外壁部材２１２の間に挟まれることで、固定部３２と一体化している線材拘束部３０も外壁２００に固定されることとなる。外側側面部６２は、介在部６０と連なっている。外側側面部６２は、外壁部材２１２の外側に配置される。外側側面部６２は、線材拘束部３０が外壁２００の外側から内側へ移動することを防ぐ。内側側面部６４も、介在部６０と連なっている。内側側面部６４は、外壁部材２１２の内側に配置される。内側側面部６４は、線材拘束部３０が外壁２００の内側から外側へ移動することを防ぐ。
【００２５】
次に、ブラケット２０を建築構造物の外壁２００に取付け、そのブラケット２０に後述するフェンス２５０ごと垂直線材２５４を拘束させるための手順を説明する。
【００２６】
ここで本実施例にかかる建築構造物の外壁２００の構造について説明する。本実施例の場合、建築構造物の外壁２００が、支柱２１０と外壁部材２１２とを備える。外壁部材２１２は積み重ねられる。本実施例にかかるブラケット２０は、外壁部材２１２が２枚積み重ねられるたびに（これは本実施例の場合について述べたものであって、言うまでもなく、１枚であっても３枚以上であってもよい）、一番上の段の外壁部材２１２に取付けられる。図４は、支柱２１０にフェンス２５０ひいては水平線材２５２と垂直線材２５４と（本実施例の場合、水平線材２５２と垂直線材２５４とを格子状に組み合わせた上、それらをそれらの交点で一体化したものがフェンス２５０である）を取付け、隣り合う支柱２１０の間に外壁部材２１２を設置しようとする状況を示す図である。なお、本発明とは直接の関わりがないため、フェンス２５０ごと水平線材２５２と垂直線材２５４とを支柱２１０に取付けるためのブラケット３５についての具体的説明は行わない。フェンス２５０ごと水平線材２５２と垂直線材２５４とを支柱２１０に取付けるための具体的な方法は、公知の方法その他の方法によって適宜実施されるべきものである。ちなみに、言うまでもないことではあるが、フェンス２５０の設置にあたり、水平線材２５２が完全に水平となるよう管理する必要性はない。垂直線材２５４が完全に垂直となるよう管理する必要性はない。
【００２７】
外壁部材２１２が設置されると、ブラケット２０を、張出板部４４が垂直線材２５４に平行となる姿勢としつつ、垂直線材２５４へ進入路４２を嵌める。図５は、この張出板部４４が垂直線材２５４に平行となる姿勢を示す図である。これにより、垂直線材２５４が進入路４２内を進入できる。なお、本実施例で言う「平行」は厳密な意味での平行に限定して解釈されるべきものではない。垂直線材２５４が進入路４２内を進入する際、張出板部４４が邪魔とならない程度の間隔を垂直線材２５４と張出板部４４とが保つよう、それらが離れているならば、その状態は本実施例に言う「平行」の範疇に含まれる。図６は、このときのブラケット２０を正面側から見た図である。図６に示す２点鎖線は進入路４２内を進入する垂直線材２５４を示す。作業者がブラケット２０を適宜移動させることにより、この図が示すように垂直線材２５４は進入路４２を経て貫通孔４０に進入する。
【００２８】
垂直線材２５４が貫通孔４０に進入すると、ブラケット２０を傾けて固定部３２を外壁部材２１２に被せる。図７は、固定部３２を外壁部材２１２に被せたときのブラケット２０の側面図である。これにより、図６に示した姿勢に比べて張出板部４４が傾く。張出板部４４が傾くので、進入路４２のうち直交部４１０の全部と屈曲部４１２の一部とが張出板部４４によって遮られる。図８は、ブラケット２０の固定部３２を外壁部材２１２に被せたときのブラケット２０の正面図である。図９は、このときの支柱２１０、外壁部材２１２、フェンス２５０、および、ブラケット２０を示す図である。
【００２９】
ブラケット２０の固定部３２が外壁部材２１２に被せられると、その外壁部材２１２とブラケット２０との上に別の外壁部材２１２を積み重ねる。別の外壁部材２１２が積み重ねられると、ブラケット２０の固定部３２のうち介在部６０は外壁部材２１２に挟まれることとなる。これにより、ブラケット２０の線材拘束部３０は外壁２００に固定される。図１０はこのときのブラケット２０の側面図である。
【００３０】
別の外壁部材２１２が積み重ねられた後、さらに別の外壁部材２１２を数枚（本実施例の場合には１枚）積み重ねてから、数本（本実施例の場合には３本）のブラケット２０を垂直線材２５４に嵌めた上で、それらブラケット２０を外壁部材２１２に載せる。ブラケット２０を垂直線材２５４に嵌めてから外壁部材２１２に載せるための具体的な方法は上述したものと同様である。図１１は、新たにブラケット２０が外壁部材２１２に載せられたときの支柱２１０、外壁部材２１２、フェンス２５０、および、ブラケット２０を示す図である。ブラケット２０が外壁部材２１２に載せられると、その上に別の外壁部材２１２を載せる。これにより、支柱２１０の上端まで外壁部材２１２が嵌め込まれると、外壁２００が完成する。その後、必要ならば、その外壁２００の隣に別の外壁２００を構築する。その外壁２００の構築方法は上述したものと同様である。図１２は、外壁２００の隣に別の外壁２００が構築された状況を示す図である。
【００３１】
次に本実施例にかかるブラケット２０とこれを用いた線材２５４の設置方法が奏する効果について説明する。本実施例にかかるブラケット２０およびこれを用いた線材の設置方法を用いることにより、複数の外壁部材２１２を積み重ねることで外壁２００を構築してその外壁２００の外側に線材２５４を設置する場合において、その外壁２００の外側には足場を不要とすることができる。また、本実施例にかかるブラケット２０は、フェンス２５０の垂直線材２５４がブラケット２０の拘束から抜け出すことを、複雑な機構を有していないにも関わらず防止できる。
【００３２】
上記の実施例で説明したブラケットおよび線材の設置方法は、本発明の技術的思想を具体化するために例示したものであり、各部材の形状や構造、配置などをこの実施形態のものに限定するものではなく、種々の変更を加え得るものである。
【００３３】
たとえば、固定部の具体的形状は上述したものに限定されない。固定部の具体的形状は外壁部材の形状その他に応じて適宜変更し得るものである。
【００３４】
ここで、上述したブラケット２０の変形例について説明する。図１３はその変形例にかかるブラケット３１の固定部３３０を外壁部材２１６に被せたときの、外壁部材２１６、フェンス２５０、および、ブラケット３１を示す図である。まず、本変形例にかかる外壁部材２１６について説明する。この外壁部材２１６は、その上端に凸部２６０を有する。この外壁部材２１６は、その下端に凹部２６２を有する。外壁部材２１６の上に外壁部材２１６が積み重ねられるとき、上の外壁部材２１６の凹部２６２に下の外壁部材２１６の凸部２６０が挿入される。図１３を参照しつつ、本変形例にかかるブラケット３１の固定部３３について説明する。固定部３３のうち、外側側面部２７０と内側側面部２７２とは、外壁部材２１６の凸部２６０にぴったりと嵌まるよう、折れ曲がっている。図１３に示したブラケット３１のうちその他の部分は、上述したブラケット３０と同様である。図１３に示したブラケット３１はこのような構造となっているので、線材拘束部３０が外壁部材２１６の間にしっかりと固定されることとなる。
【符号の説明】
【００３５】
２０，３１，３５   ブラケット
３０  線材拘束部
３２，３３  固定部
４０  線材拘束部
４０  貫通孔
４２  進入路
４４  張出板部
５０  正面
５２  側面
５４  背面
６０  介在部
６２，２７０       外側側面部
６４，２７２       内側側面部
２００      外壁
２１０      支柱
２１２      外壁部材
２５０      フェンス
２５２      水平線材
２５４      垂直線材
２６０      凸部
２６２      凹部
４０２      内周面
４１０      直交部
４１２      屈曲部
【図１】
2011163077.tif 000003
【図２】
2011163077.tif 000004
【図３】
2011163077.tif 000005
【図４】
2011163077.tif 000006
【図５】
2011163077.tif 000007
【図６】
2011163077.tif 000008
【図７】
2011163077.tif 000009
【図８】
2011163077.tif 000010
【図９】
2011163077.tif 000011
【図１０】
2011163077.tif 000012
【図１１】
2011163077.tif 000013
【図１２】
2011163077.tif 000014
【図１３】
2011163077.tif 000015